(57)【特許請求の範囲】
【請求項１】
照明器具ハウジングと、
前記照明器具ハウジング内に格納式に保管可能なフレキシブル多層照明シートであって、前記照明器具ハウジング内に少なくとも部分的に引き込まれた引込位置と、前記引込位置よりも前記照明器具ハウジングから多く引き出された延長位置との間で可動であり、ＬＥＤ層と、前記ＬＥＤ層上にある光学層とを有し、前記ＬＥＤ層は、光出力を選択的に生成する複数のＬＥＤを含み、前記光学層は、前記光出力の少なくとも一部を横断及び透過させる、前記フレキシブル多層照明シートと、
を含み、
前記ＬＥＤ層及び前記光学層の一部は、前記延長位置にあるときは、互いに拡張され離間された関係にあり、前記引込位置にあるときは、互いに圧縮された関係にあり、
前記拡張され離間された関係にある前記ＬＥＤ層と前記光学層との間の距離は、前記圧縮された関係にある前記ＬＥＤ層と前記光学層との間の距離の少なくとも２倍である、格納式照明器具。
【請求項２】
前記ＬＥＤ層及び前記光学層は、前記圧縮された関係では、接触している、請求項１に記載の格納式照明器具。
【請求項３】
前記拡張され離間された関係にある前記ＬＥＤ層と前記光学層との間の距離は、前記圧縮された関係にある前記ＬＥＤ層と前記光学層との間の距離の少なくとも４倍である、請求項１に記載の格納式照明器具。
【請求項４】
前記ＬＥＤ層と前記光学層との間に置かれる複数の弾性的に拡張及び収縮可能な構造体を更に含み、前記構造体は、前記構造体に隣接する前記ＬＥＤ層及び前記光学層の一部が、互いに前記拡張され離間された関係にあるときは、付勢された拡張状態にある、請求項１に記載の格納式照明器具。
【請求項５】
前記構造体は、発泡棒を含む、請求項４に記載の格納式照明器具。
【請求項６】
前記照明器具ハウジング内に、マンドレルを更に含み、前記フレキシブル多層照明シートは、前記マンドレルに結合され、前記引込位置では前記マンドレルの周りを回転する、請求項１に記載の格納式照明器具。
【請求項７】
前記照明器具ハウジングの入口の近位に一対のローラを更に含み、前記一対のローラは、前記ＬＥＤ層及び前記光学層が前記延長位置から前記引込位置に移動するときは、前記フレキシブル多層照明シートの側方に位置し及び接触する、請求項１に記載の格納式照明器具。
【請求項８】
前記光学層は、蛍光体を含む、請求項１に記載の格納式照明器具。
【請求項９】
前記フレキシブル多層照明シートは更に、前記光学層とは反対の前記ＬＥＤ層の側に、前記ＬＥＤ層上にある反射層を含む、請求項１に記載の格納式照明器具。
【請求項１０】
前記複数のＬＥＤのうちの幾つかのＬＥＤの前記光出力は、主に前記反射層に向けられる、請求項９に記載の格納式照明器具。
【請求項１１】
照明器具ハウジングと、
前記照明器具ハウジング内に格納式に保管可能なフレキシブル多層照明シートであって、前記照明器具ハウジング内に少なくとも部分的に引き込まれた引込位置と、前記引込位置よりも前記照明器具ハウジングから多く引き出された延長位置との間で可動であり、ＬＥＤ層と、前記ＬＥＤ層上にある拡散光学層とを有し、前記ＬＥＤ層及び前記拡散光学層の一部は、前記延長位置にあるときは、互いに拡張され離間された関係にあり、前記引込位置にあるときは、互いに圧縮された関係にある、前記フレキシブル多層照明シートと、
前記ＬＥＤ層と前記拡散光学層との間に置かれる複数の弾性間隔形成構造体であって、前記弾性間隔形成構造体は、前記弾性間隔形成構造体に隣接する前記ＬＥＤ層及び前記拡散光学層が、前記拡張され離間された関係にあるときは、拡張状態にあり、前記弾性間隔形成構造体に隣接する前記ＬＥＤ層及び前記拡散光学層が、前記圧縮された関係にあるときは、収縮状態にある、前記複数の弾性間隔形成構造体と、
を含む、格納式照明器具。
【請求項１２】
前記ＬＥＤ層及び前記拡散光学層は、前記圧縮された関係では、接触している、請求項１１に記載の格納式照明器具。
【請求項１３】
前記拡張され離間された関係にある前記ＬＥＤ層と前記拡散光学層との間の距離は、前記圧縮された関係にある前記ＬＥＤ層と前記拡散光学層との間の距離の少なくとも３倍である、請求項１１に記載の格納式照明器具。
【請求項１４】
前記複数の弾性間隔形成構造体は、付勢されていない、請求項１１に記載の格納式照明器具。
【請求項１５】
前記複数の弾性間隔形成構造体は、バネを含む、請求項１１に記載の格納式照明器具。
【請求項１６】
前記フレキシブル多層照明シートは、前記ＬＥＤ層上に第２の拡散光学層を含み、前記第２の拡散光学層は、前記拡散光学層とは反対の前記ＬＥＤ層の側にある、請求項１１に記載の格納式照明器具。
【請求項１７】
前記ＬＥＤ層及び前記第２の拡散光学層の一部は、前記延長位置にあるときは、互いに第２の拡散光学層拡張離間関係にあり、前記引込位置にあるときは、互いに第２の拡散光学層圧縮関係にある、請求項１６に記載の格納式照明器具。
【請求項１８】
前記ＬＥＤ層は、前記ＬＥＤ層の両側にＬＥＤを含む、請求項１７に記載の格納式照明器具。
【請求項１９】
前記照明器具ハウジング内に、マンドレルを更に含み、前記フレキシブル多層照明シートは、前記マンドレルに結合され、前記引込位置では前記マンドレルの周りを回転する、請求項１１に記載の格納式照明器具。
【請求項２０】
前記照明器具ハウジングの入口の近位に一対のローラを更に含み、前記一対のローラは、前記ＬＥＤ層及び前記拡散光学層が前記延長位置から前記引込位置に移動するときは、前記フレキシブル多層照明シートの側方に位置し及び接触する、請求項１９に記載の格納式照明器具。
【請求項２１】
照明器具ハウジングと、
前記照明器具ハウジング内に格納式に保管可能なフレキシブル多層照明シートであって、前記照明器具ハウジング内に少なくとも部分的に引き込まれた引込位置と、前記引込位置よりも前記照明器具ハウジングから多く引き出された延長位置との間で可動であり、ＬＥＤ層と、前記ＬＥＤ層上に少なくとも選択的にある光学層とを有し、前記ＬＥＤ層は、光出力を選択的に生成する複数のＬＥＤを含み、前記光学層は、前記光出力の少なくとも一部を横断及び透過させる、前記フレキシブル多層照明シートと、
を含み、
前記ＬＥＤ層及び前記光学層の一部は、前記延長位置にあるときは、巻かれず、広げられた状態にあると共に、互いに拡張され離間された関係にあり、前記引込位置にあるときは、巻かれ、圧縮された状態にある、格納式照明器具。
【請求項２２】
前記ＬＥＤ層及び前記光学層は、前記引込位置にあるときは、互いから別々に巻かれる、請求項２１に記載の格納式照明器具。
【請求項２３】
前記ＬＥＤ層及び前記光学層は、前記圧縮された関係では、共通して巻かれ、接触している、請求項２１に記載の格納式照明器具。
【請求項２４】
前記延長位置における前記ＬＥＤ層と前記光学層との間の距離は、前記引込位置における前記ＬＥＤ層と前記光学層との間の距離よりも大きい、請求項２１に記載の格納式照明器具。
【請求項２５】
前記照明器具ハウジング内に、マンドレルを更に含み、前記ＬＥＤ層は、前記マンドレルに結合され、前記引込位置では前記マンドレルの周りを回転する、請求項２１に記載の格納式照明器具。
【請求項２６】
前記照明器具ハウジング内に、第２のマンドレルを更に含み、前記光学層は、前記第２のマンドレルに結合され、前記引込位置では前記第２のマンドレルの周りを回転する、請求項２５に記載の格納式照明器具。
【請求項２７】
前記マンドレル及び前記第２のマンドレルは、互いに対し可動である、請求項２６に記載の格納式照明器具。
【請求項２８】
前記フレキシブル多層照明シートは、前記ＬＥＤ層上に第２の光学層を含み、前記第２の光学層は、前記光学層とは反対の前記ＬＥＤ層の側にある、請求項２１に記載の格納式照明器具。
【請求項２９】
前記ＬＥＤ層、前記光学層、及び前記第２の光学層はすべて、前記引込位置にあるときは、互いから別々に巻かれる、請求項２８に記載の格納式照明器具。
【発明の詳細な説明】
【技術分野】
【０００１】
[0001]  本発明は、概して、ＬＥＤベースの照明器具に関する。より具体的には、本明細書に開示される様々な発明方法及び装置は、格納可能なＬＥＤ照明層を有する照明器具に関する。
【背景技術】
【０００２】
[0002]  デジタル照明技術、即ち、発光ダイオード（ＬＥＤ）といった半導体光源に基づく照明は、従来の蛍光灯、ＨＩＤ、及び白熱灯に代わる実行可能な代替案を提供する。ＬＥＤの機能上の利点及び便益には、他の多くの利点及び便益に加えて高エネルギー変換及び光学効率、耐久性、並びに低操作コストが含まれる。ＬＥＤ技術の最近の進歩によって、多くの用途において様々な照明効果を可能にする効率的でロバストなフルスペクトル照明源が提供されている。これらの照明源を具現化する器具の幾つかは、例えば赤、緑、及び青といった様々な色を生成できる１つ以上のＬＥＤと、例えば米国特許第６，０１６，０３８号及び第６，２１１，６２６号に詳細に説明される、様々な色及び色変化照明効果を発生させるためにＬＥＤの出力を独立制御するプロセッサとを含む照明モジュールを特徴とする。
【０００３】
[0003]  ＬＥＤが組み込まれた照明器具は、例えばフレキシブル布地、フレキシブルプリント回路基板、及び／又は他のフレキシブル材料シートといったフレキシブル材料シート内に埋め込まれたＬＥＤを含む。ＬＥＤは、電力及び制御接続を介して給電され、任意選択的に制御される。当該電力及び制御接続も、任意選択的にフレキシブル材料シートに組み込まれてよい。
【０００４】
[0004]  このような照明器具は、ＬＥＤをフレキシブル材料シート内に組み込むが、１つ以上の欠点がある。例えばこのような照明器具は、フレキシブル材料シートの格納可能性を提供しない。更に例えばフレキシブル材料シート内のＬＥＤが、フレキシブル材料シート内の光点として可視となる。これは、特定の状況では望ましくない。例えばある状況では、様々な色を有する複数のＬＥＤからの光を混合して、同一色又は徐々に変化する色勾配を形成することが望ましい。更に、例えばある状況では、拡散照明効果を形成することが望ましい。
【発明の概要】
【発明が解決しようとする課題】
【０００５】
[0005]  したがって、当技術分野において、格納可能なＬＥＤ照明層を採用し、任意選択的に既存の照明器具に付随する１つ以上の欠点を解決する照明器具を提供する必要がある。
【課題を解決するための手段】
【０００６】
[0006]  本開示は、ＬＥＤベースの照明器具の発明方法及び装置に関する。例えば様々な実施形態において、格納可能なＬＥＤ照明層を有する格納式照明器具が提供される。幾つかの実施形態では、１つ以上の光学層が、ＬＥＤ照明層上に提供され、当該ＬＥＤ照明層と共に格納可能である。光学層及びＬＥＤ照明層は、任意選択的に、少なくとも互いに拡張され離間された関係と、互いに圧縮された関係との間で、互いに対し可動である。幾つかの実施形態では、ＬＥＤ照明層上の１つ以上のＬＥＤは、個別に制御可能であり、また、当該ＬＥＤは、格納された位置にあるときは、選択的に消灯される。
【０００７】
[0007]  概して、一態様において、本発明は、照明器具ハウジングと、照明器具ハウジング内に格納式に保管可能なフレキシブル多層照明シートとを含む格納式照明器具に関する。多層照明シートは、照明器具ハウジング内に少なくとも部分的に引き込まれた引込位置と、引込位置よりも照明器具ハウジングから多く引き出された延長位置との間で可動である。多層照明シートは、ＬＥＤ層と、ＬＥＤ層上にある光学層とを有する。ＬＥＤ層は、光出力を選択的に生成する複数のＬＥＤを含み、光学層は、光出力の少なくとも一部を横断及び透過させる。ＬＥＤ層及び光学層の一部は、延長位置にあるときは、互いに拡張され離間された関係にあり、引込位置にあるときは、互いに圧縮された関係にある。拡張され離間された関係にあるＬＥＤ層と光学層との間の距離は、圧縮された関係にあるＬＥＤ層と光学層との間の距離の少なくとも２倍である。
【０００８】
[0008]  幾つかの実施形態では、ＬＥＤ層及び光学層は、圧縮された関係では、接触している。拡張され離間された関係にあるＬＥＤ層と光学層との間の距離は、圧縮された関係にあるＬＥＤ層と光学層との間の距離の少なくとも４倍である。
【０００９】
[0009]  幾つかの実施形態では、照明器具は、ＬＥＤ層と光学層との間に置かれる複数の弾性的に拡張及び収縮可能な構造体を更に含む。当該構造体は、当該構造体に隣接するＬＥＤ層及び光学層の一部が、互いに拡張され離間された関係にあるときは、付勢された拡張状態にある。当該実施形態の幾つかの変形では、当該構造体は、発泡棒を含む。
【００１０】
[0010]  照明器具は更に、照明器具ハウジング内に、マンドレルを更に含む。多層照明シートは、マンドレルに結合され、引込位置ではマンドレルの周りを回転する。
【００１１】
[0011]  照明器具は更に、照明器具ハウジングの入口の近位に一対のローラを更に含む。当該ローラは、ＬＥＤ層及び光学層が延長位置から引込位置に移動するときは、多層照明シートの側方に位置し及び接触する。
【００１２】
[0012]  幾つかの実施形態では、光学層は、蛍光体を含む。
【００１３】
[0013]  幾つかの実施形態では、多層照明シートは更に、光学層とは反対のＬＥＤ層の側に、ＬＥＤ層上にある反射層を含む。当該実施形態の幾つかの変形では、ＬＥＤのうちの幾つかのＬＥＤの光出力は、主に反射層に向けられる。
【００１４】
[0014]  概して、別の態様において、本発明は、ハウジングと、照明器具ハウジング内に格納式に保管可能なフレキシブル多層照明シートとを含む格納式照明器具に関する。多層照明シートは、照明器具ハウジング内に少なくとも部分的に引き込まれた引込位置と、引込位置よりも照明器具ハウジングから多く引き出された延長位置との間で可動である。多層照明シートは、ＬＥＤ層と、ＬＥＤ層上にある拡散光学層とを有する。ＬＥＤ層及び拡散光学層の一部は、延長位置にあるときは、互いに拡張され離間された関係にあり、引込位置にあるときは、互いに圧縮された関係にある。照明器具は更に、ＬＥＤ層と光学層との間に置かれる複数の弾性間隔形成構造体を含む。弾性間隔形成構造体は、弾性間隔形成構造体に隣接するＬＥＤ層及び拡散光学層が、拡張され離間された関係にあるときは、拡張状態にあり、弾性間隔形成構造体に隣接するＬＥＤ層及び拡散光学層が、圧縮された関係にあるときは、収縮状態にある。
【００１５】
[0015]  幾つかの実施形態では、ＬＥＤ層及び光学層は、圧縮された関係では、接触している。拡張され離間された関係にあるＬＥＤ層と光学層との間の距離は、圧縮された関係にあるＬＥＤ層と光学層との間の距離の少なくとも３倍である。
【００１６】
[0016]  幾つかの実施形態では、弾性間隔形成構造体は、付勢されていない。幾つかの実施形態では、弾性間隔形成構造体は、バネを含む。
【００１７】
[0017]  幾つかの実施形態では、多層照明シートは、ＬＥＤ層上に第２の拡散光学層を含む。当該第２の光学層は、光学層とは反対のＬＥＤ層の側にある。当該実施形態の幾つかの変形では、ＬＥＤ層及び第２の拡散光学層の一部は、延長位置にあるときは、互いに第２の拡散光学層拡張離間関係にあり、引込位置にあるときは、互いに第２の拡散光学層圧縮関係にある。
【００１８】
[0018]  幾つかの実施形態では、ＬＥＤ層の両側にＬＥＤを含む。
【００１９】
[0019]  照明器具は更に、照明器具ハウジング内に、マンドレルを含む。多層照明シートは、マンドレルに結合され、引込位置ではマンドレルの周りを回転する。
【００２０】
[0020]  幾つかの実施形態では、照明器具は更に、照明器具ハウジングの入口の近位に一対のローラを更に含み、当該ローラは、ＬＥＤ層及び光学層が延長位置から引込位置に移動するときは、多層照明シートの側方に位置し及び接触する。
【００２１】
[0021]  概して、別の態様では、本発明は、ハウジングと、ハウジング内に格納式に保管可能なフレキシブルＬＥＤ照明シートとを含む格納式照明器具に関する。ＬＥＤ照明シートは、照明器具ハウジング内に少なくとも部分的に引き込まれた引込位置と、引込位置よりも照明器具ハウジングから多く引き出された延長位置との間で可動である。ＬＥＤ照明シートは、例えば電流制限電源といった電源に選択的に電気的に接続される複数のＬＥＤを有する。照明器具は更に、複数の電気スイッチを含む。各スイッチは、ＬＥＤのうちの少なくとも１つのＬＥＤと電源との間に電気的に置かれ、少なくとも第１の状態と第２の状態との間で作動可能である。第１の状態では、各スイッチは、電源と、電気スイッチに関連付けられたＬＥＤとの間の電気的相互接続を可能にする。第２の状態では、各スイッチは、電源と、電気スイッチに関連付けられたＬＥＤとの間の電気的相互接続を阻止する。各スイッチは、スイッチに関連付けられたＬＥＤが照明器具ハウジングから引き出されると、第１の状態にあり、各スイッチは、スイッチに関連付けられたＬＥＤが照明器具ハウジング内に引き込まれると、第２の状態にある。
【００２２】
[0022]  幾つかの実施形態では、照明器具は更に、スイッチと電気通信し、第１の状態と第２の状態との間でスイッチを個別に指示するコントローラを含む。当該実施形態の幾つかの変形では、照明器具は更に、コントローラと電気通信する少なくとも１つのセンサを含む。当該センサは、ＬＥＤ照明シートの位置を感知する。幾つかの実施形態では、センサはホール効果センサである。当該実施形態の幾つかの変形では、照明器具は更に、照明器具ハウジング内に、マンドレルを含み、ＬＥＤ照明シートは、マンドレルに結合され、引込位置ではマンドレルの周りを回転し、ホール効果センサは、マンドレルの回転を感知する。幾つかの他の実施形態では、センサは、ＬＥＤ照明シートに結合された複数のフォトセンサを含む。
【００２３】
[0023]  幾つかの実施形態では、スイッチのうちの少なくとも幾つかは、それぞれ、スイッチのうちの対応するスイッチを、スイッチに関連付けられたＬＥＤが照明器具ハウジングから引き出されると第１の状態に、電気スイッチに関連付けられたＬＥＤが照明器具ハウジング内に引き込まれると第２の状態に移動する構造体を含む。
【００２４】
[0024]  概して、更に別の態様では、本発明は、ハウジングと、ハウジング内に格納式に保管可能なフレキシブルＬＥＤ照明シートとを含む格納式照明器具に関する。ＬＥＤ照明シートは、照明器具ハウジング内に少なくとも部分的に引き込まれた引込位置と、引込位置よりも照明器具ハウジングから多く引き出された延長位置との間で可動である。ＬＥＤ照明シートは、電源に選択的に電気的に接続され、複数の個別の個々に作動可能なグループで電気的に接続される複数のＬＥＤを有する。各グループは、ＬＥＤのうちの少なくとも１つのＬＥＤを含み、グループの他のグループとは独立して点灯及び消灯可能である。コントローラが、各グループと電気通信し、各グループを選択的に点灯及び消灯する。当該コントローラは、当該コントローラに関連付けられたＬＥＤが照明器具ハウジング内に引き込まれると、各グループを消灯する。
【００２５】
[0025]  幾つかの実施形態では、コントローラは、複数のスイッチと電気通信し、各スイッチは、グループのうちの１つのグループと連動する。当該実施形態の幾つかの変形では、スイッチは、当該スイッチに関連付けられたＬＥＤが消灯していると、開放されている。
【００２６】
[0026]  照明器具は更に、コントローラと電気通信し、ＬＥＤ照明シートの位置を感知する少なくとも１つのセンサを含む。
【００２７】
[0027]  幾つかの実施形態では、センサは、ホール効果センサを含む。他の実施形態では、センサは、ＬＥＤ照明シートに結合された複数のフォトセンサを含む。
【００２８】
[0028]  照明器具は更に、照明器具ハウジング内に、マンドレルを含む。ＬＥＤ照明シートは、マンドレルに結合され、引込位置ではマンドレルの周りを回転する。当該実施形態の幾つかの変形では、ホール効果センサは、マンドレルの回転を感知する。当該実施形態の幾つかの他の変形では、コントローラが、マンドレルの回転を制御し、回転に基づいて、各グループを選択的に消灯する。
【００２９】
[0029]  概して、更に別の態様において、本発明は、格納式照明器具ハウジング内に引き込まれる又は引き出される際にＬＥＤを選択的に作動させる方法に関する。当該方法は、ＬＥＤ照明シート上の複数のＬＥＤグループのうちのどのグループが、格納式照明器具ハウジングの実質的に中の引込位置にあるのかを電気的に決定するステップと、ＬＥＤ照明シート上の複数のＬＥＤグループのうちのどのグループが、格納式照明器具ハウジングの実質的に外の延長位置にあるのかを電気的に決定するステップと、引込位置にあると決定されたＬＥＤグループを電気的に消灯するステップと、延長位置にあると決定されたＬＥＤグループを電気的に点灯するステップとを含む。
【００３０】
[0030]  また、更に別の態様では、本発明は、ハウジングと、照明器具ハウジング内に格納式に保管可能なフレキシブル多層照明シートとを含む格納式照明器具に関する。多層照明シートは、照明器具ハウジング内に少なくとも部分的に引き込まれた引込位置と、引込位置よりも照明器具ハウジングから多く引き出された延長位置との間で可動である。多層照明シートは、ＬＥＤ層と、ＬＥＤ層上に少なくとも選択的にある光学層とを有する。ＬＥＤ層は、光出力を選択的に生成する複数のＬＥＤを含み、光学層は、光出力の少なくとも一部を横断及び透過させる。ＬＥＤ層及び光学層の一部は、延長位置にあるときは、拡張され広げられた状態にあり、引込位置にあるときは、圧縮され巻かれた状態にある。
【００３１】
[0031]  幾つかの実施形態では、ＬＥＤ層及び光学層は、引込位置にあるときは、互いから別々に巻かれる。別の実施形態では、ＬＥＤ層及び光学層は、圧縮された関係では、共通して巻かれ、接触している。
【００３２】
[0032]  幾つかの実施形態では、延長位置におけるＬＥＤ層と光学層との間の距離は、引込位置におけるＬＥＤ層と光学層との間の距離よりも大きい。
【００３３】
[0033]  照明器具は更に、照明器具ハウジング内に、マンドレルを含み、ＬＥＤ層は、マンドレルに結合され、引込位置ではマンドレルの周りを回転する。当該実施形態の幾つかの変形では、照明器具は更に、照明器具ハウジング内に、第２のマンドレルを更に含み、光学層は、第２のマンドレルに結合され、引込位置では第２のマンドレルの周りを回転する。マンドレル及び第２のマンドレルは、互いに対し可動である。
【００３４】
[0034]  幾つかの実施形態では、多層照明シートは、ＬＥＤ層上に、光学層とは反対のＬＥＤ層の側にある第２の光学層を含む。
【００３５】
[0035]  幾つかの実施形態では、ＬＥＤ層、光学層、及び第２の光学層はすべて、引込位置にあるときは、互いから別々に巻かれる。
【００３６】
[0036]  本開示の目的で本明細書において使用される場合には、「ＬＥＤ」との用語は、任意のエレクトロルミネセントダイオード、又は、電気信号に呼応して放射を発生できる、その他のタイプのキャリア注入／接合ベースシステム（carrier injection/junction-based system）を含むものと理解すべきである。したがって、ＬＥＤとの用語は、次に限定されないが、電流に呼応して発光する様々な半導体ベースの構造体、発光ポリマー、有機発光ダイオード（ＯＬＥＤ）、エレクトロルミネセンスストリップ等を含む。特に、ＬＥＤとの用語は、赤外スペクトル、紫外スペクトル、及び（一般に、約４００ナノメートルから約７００ナノメートルまでの放射波長を含む）可視スペクトルの様々な部分のうちの、１つ又は複数における放射を発生させることができるすべてのタイプの発光ダイオード（半導体及び有機発光ダイオードを含む）を指す。ＬＥＤの幾つかの例としては、次に限定されないが、様々なタイプの赤外線ＬＥＤ、紫外線ＬＥＤ、赤色ＬＥＤ、青色ＬＥＤ、緑色ＬＥＤ、黄色ＬＥＤ、琥珀色ＬＥＤ、橙色ＬＥＤ、及び白色ＬＥＤ（以下に詳しく述べる）がある。また、ＬＥＤは、所与のスペクトルに対して様々な帯域幅（例えば半波高全幅値（ＦＷＨＭ：full widths at half maximum））、及び所与の一般的な色分類内で様々な支配的波長を有する放射（例えば狭帯域幅、広帯域幅）を発生させるように構成及び／又は制御することができることを理解すべきである。
【００３７】
[0037]  例えば本質的に白色光を生成するＬＥＤ（例えば白色ＬＥＤ）の一実施態様は、それぞれ、組み合わされることで混合して本質的に白色光を形成する様々なスペクトルのエレクトロルミネセンスを放射する複数のダイを含む。別の実施態様では、白色光ＬＥＤは、第１のスペクトルを有するエレクトロルミネセンスを異なる第２のスペクトルに変換する蛍光体材料に関連付けられる。この実施態様の一例では、比較的短波長で狭帯域幅スペクトルを有するエレクトロルミネセンスが、蛍光体材料を「ポンピング（pumps）」して、当該蛍光体材料は、いくぶん広いスペクトルを有する長波長放射を放射する。
【００３８】
[0038]  なお、ＬＥＤとの用語は、ＬＥＤの物理的及び／又は電気的なパッケージタイプを限定しないことを理解すべきである。例えば、上述した通り、ＬＥＤは、（例えば個々に制御可能であるか又は制御不能である）異なるスペクトルの放射をそれぞれ放射する複数のダイを有する単一の発光デバイスを指すこともある。また、ＬＥＤは、ＬＥＤ（例えばあるタイプの白色ＬＥＤ）の一体部分と見なされる蛍光体に関連付けられることもある。一般に、ＬＥＤとの用語は、パッケージＬＥＤ、非パッケージＬＥＤ、表面実装ＬＥＤ、チップ・オン・ボードＬＥＤ、ＴパッケージマウントＬＥＤ、ラジアルパッケージＬＥＤ、パワーパッケージＬＥＤ、あるタイプのケーシング及び／又は光学素子（例えば拡散レンズ）を含むＬＥＤ等を指す。
【００３９】
[0039]  「光源」との用語は、次に限定されないが、ＬＥＤベース光源（上記に定義した１つ以上のＬＥＤを含む）、白熱光源（例えばフィラメント電灯、ハロゲン電灯）、蛍光光源、りん光性光源、高輝度放電光源（例えばナトリウム蒸気ランプ、水銀蒸気ランプ及びメタルハライドランプ）、レーザー、その他のタイプのエレクトロルミネセンス源、パイロルミネセンス源（例えば火炎）、キャンドルルミネセンス源（例えばガスマントル光源、カーボンアーク放射光源）、フォトルミネセンス源（例えばガス状放電光源）、電子飽和（electronic satiation）を使用する陰極発光源（cathode luminescent source）、ガルバノルミネセンス源、結晶発光（crystallo-luminescent）源、キネルミネセンス（kine-luminescent）源、熱ルミネセンス源、摩擦ルミネセンス（triboluminescent）源、音ルミネセンス（sonoluminescent）源、放射ルミネセンス（radioluminescent）源、及び発光ポリマー（luminescent polymers）を含む、様々な放射源のうちの任意の１つ以上を指すと理解すべきである。
【００４０】
[0040]  所与の光源は、可視スペクトル内、可視スペクトル外、又は両者の組合せでの電磁放射を発生させる。したがって、「光」及び「放射」との用語は、本明細書では同義で使用される。更に、光源は、一体構成要素として、１つ以上のフィルタ（例えばカラーフィルタ）、レンズ、又はその他の光学的構成要素を含んでもよい。また、光源は、次に限定されないが、指示、表示、及び／又は照明を含む様々な用途に対し構成されることを理解すべきである。「照明源」とは、内部空間又は外部空間を効果的に照射するのに十分な強度を有する放射線を発生するように特に構成された光源である。このコンテキストにおいて、「十分な強度」とは、周囲照明（すなわち、間接的に知覚され、また、例えば、全体的に又は部分的に知覚される前に１つ以上の様々な介在面から反射される光）を提供するために空間又は環境において発生される可視スペクトルにおける十分な放射強度（放射強度又は「光束」に関して、全方向における光源からの全光出力を表すために、単位「ルーメン」がよく使用される）を指す。
【００４１】
[0041]  「スペクトル」との用語は、１つ以上の光源によって生成された放射線の任意の１つ以上の周波数（又は波長）を指すものと理解すべきである。したがって、「スペクトル」との用語は、可視範囲内の周波数（又は波長）のみならず、赤外線、紫外線、及び電磁スペクトル全体の他の領域の周波数（又は波長）も指す。更に、所与のスペクトルは、比較的狭い帯域幅（例えば、ＦＷＨＭは、基本的に、周波数又は波長成分をほとんど有さない）、又は、比較的広い帯域幅（様々な相対強度を有する幾つかの周波数又は波長成分）を有してよい。当然のことながら、所与のスペクトルは、２つ以上の他のスペクトルを混合（例えば、複数の光源からそれぞれ放射された放射線を混合）した結果であってよい。
【００４２】
[0042]  本開示の目的で、「色」との用語は、「スペクトル」との用語と同義に使用される。しかし、「色」との用語は、通常、観察者によって知覚可能である放射線の特性を主に指すために使用される（ただし、この使用は、当該用語の範囲を限定することを意図していない）。したがって、「様々な色」との用語は、様々な波長成分及び／又は帯域幅を有する複数のスペクトルを暗に指す。更に、当然のことながら、「色」との用語は、白色光及び非白色光の両方との関連で使用されてもよい。
【００４３】
[0043]  「色温度」との用語は、本明細書では、通常、白色光に関連して使用されるが、その使用は、当該用語の範囲を限定することを意図していない。色温度は、基本的に、白色光の特定の色内容又は陰（例えば、赤みを帯びた、青みを帯びた）を指す。所与の放射サンプルの色温度は、従来から、問題とされている放射サンプルと同じスペクトルを基本的に放射する黒体放射体のケルビン度数（Ｋ）の温度に応じて特徴付けられている。黒体放射体の色温度は、通常、約７００度Ｋ（通常、人間の目に最初に可視となると考えられている）から１０，０００度Ｋ超の範囲内であり、白色光は、通常、約１５００〜２０００度Ｋより高い色温度において知覚される。
【００４４】
[0044]  低色温度は、通常、より顕著な赤色成分、すなわち、「温かい印象」を有する白色光を示す一方で、高色温度は、通常、より顕著な青色成分、すなわち、「冷たい印象」を有する白色光を示す。一例として、炎は約１，８００度Ｋの色温度を有し、従来の白熱電球は約２８４８度Ｋの色温度を有し、早朝の日光は約３，０００度Ｋの色温度を有し、曇った日の真昼の空は約１０，０００度Ｋの色温度を有する。約３，０００度Ｋの色温度を有する白色光の下で見られたカラー画像は、比較的赤みの帯びた色調を有する一方で、約１０，０００度Ｋの色温度を有する白色光の下で見られたカラー画像は、比較的青みの帯びた色調を有する。
【００４５】
[0045]  「照明器具」との用語は、本明細書では、特定の形状因子、アセンブリ又はパッケージの１つ以上の照明ユニットの実施態様又は配置を指すために使用される。「照明ユニット」との用語は、本明細書では、同じ又は異なるタイプの１つ以上の光源を含む装置を指して使用される。所与の照明ユニットは、様々な光源の取付け配置、筐体／ハウジング配置及び形状、並びに／又は、電気及び機械的接続構成の何れか１つを有してもよい。さらに、所与の照明ユニットは、光源の動作に関連する様々な他の構成要素（例えば制御回路）に任意選択的に関連付けられてもよい（例えば含む、結合される、及び／又は一緒にパッケージされる）。「ＬＥＤベースの照明ユニット」とは、上記した１つ以上のＬＥＤベースの光源を、単独で又はその他の非ＬＥＤベースの光源との組合せで含む照明ユニットを指す。「マルチチャネル」照明ユニットとは、それぞれ異なる放射スペクトルを発生する少なくとも２つの光源を含むＬＥＤベースの又は非ＬＥＤベースの照明ユニットを指すものであり、各異なる光源スペクトルは、マルチチャネル照明ユニットの「チャネル」と呼ばれる。
【００４６】
[0046]  「コントローラ」との用語は、本明細書では、概して、１つ以上の光源の動作に関連する様々な装置を説明するために使用される。コントローラは、本明細書で説明した様々な機能を実行するように、数多くの方法（例えば専用ハードウエアを用いて）で実施できる。「プロセッサ」は、本明細書で説明した様々な機能を実行するように、ソフトウエア（例えばマイクロコード）を使用してプログラムすることのできる１つ以上のマイクロプロセッサを使用するコントローラの一例である。コントローラは、プロセッサを使用してもしなくても実施でき、また、幾つかの機能を実行する専用ハードウエアと、その他の機能を実行するプロセッサ（例えばプログラムされた１つ以上のマイクロプロセッサ及び関連回路）の組み合わせとして実施されてもよい。本開示の様々な実施態様において使用されてもよいコントローラ構成要素の例としては、次に限定されないが、従来のマイクロプロセッサ、特定用途向けＩＣ（ＡＳＩＣ）、及びフィールドプログラマブルゲートアレイ（ＦＰＧＡ）がある。
【００４７】
[0047]  様々な実施態様において、プロセッサ又はコントローラは、１つ以上の記憶媒体（本明細書では総称的に「メモリ」と呼び、例えばＲＡＭ、ＰＲＯＭ、ＥＰＲＯＭ及びＥＥＰＲＯＭ、フロッピー（登録商標）ディスク、コンパクトディスク、光学ディスク、磁気テープ等の揮発性及び不揮発性のコンピュータメモリ）と関連付けられる。幾つかの実施態様において、記憶媒体は、１つ以上のプロセッサ及び／又はコントローラ上で実行されると、本明細書で説明した機能の少なくとも幾つかを実行する１つ以上のプログラムによって、コード化されてもよい。様々な記憶媒体は、プロセッサ又はコントローラ内に固定されてもよいし、又は、その上に記憶された１つ以上のプログラムが、本明細書で説明した本発明の様々な態様を実施するように、プロセッサ又はコントローラにロードされるように可搬型であってもよい。「プログラム」又は「コンピュータプログラム」との用語は、本明細書では、一般的な意味で、１つ以上のプロセッサ又はコントローラをプログラムするように使用できる任意のタイプのコンピュータコード（例えばソフトウェア又はマイクロコード）を指して使用される。
【００４８】
[0048]  なお、前述の概念及び以下でより詳しく説明する追加の概念のあらゆる組み合わせ（これらの概念が互いに矛盾しないものであることを条件とする）は、本明細書で開示される本発明の主題の一部をなすものと考えられることを理解すべきである。特に、本開示の終わりに登場するクレームされる主題のあらゆる組み合わせは、本明細書に開示される本発明の主題の一部であると考えられる。なお、参照により組み込まれる任意の開示内容にも登場する、本明細書において明示的に使用される用語には、本明細書に開示される特定の概念と最も整合性のある意味が与えられるべきであることを理解すべきである。
【図面の簡単な説明】
【００４９】
[0049]  図面中、同様の参照符号は、全般的に様々な図を通して同じ部分を指している。更に、図面は必ずしも縮尺通りではなく、重点は全体的に本発明の原理の説明に置かれている。
【００５０】
【図１】[0050]  図１は、格納式照明器具の第１の実施形態の側面図を示す。多層照明シートの態様をよりよく図示するために多層照明シートの側面が取り除かれている。
【図２】[0051]  図２は、図１の格納式照明器具のＬＥＤ制御システムの態様を示す、当該格納式照明器具の概略図を示す。
【図３】[0052]  図３は、格納式照明器具のＬＥＤ制御システムの態様を示す、当該格納式照明器具の第２の実施形態の概略図を示す。
【図４Ａ】[0053]  図４Ａは、格納式照明器具の第３の実施形態の側面図を示す。多層照明シートの態様をよりよく図示するために多層照明シートの側面が取り除かれている。格納式照明器具の拡張ローラが第１の位置にあるものとして示される。
【図４Ｂ】[0054]  図４Ｂは、図４Ａの格納式照明器具の第３の実施形態の側面図を示す。図４Ｂでは、格納式照明器具の拡張ローラは第２の位置にあるものとして示される。
【図５】[0055]  図５は、格納式照明器具の第４の実施形態の側断面図を示す。
【図６】[0056]  図６は、多層照明シートの一実施形態の側断面図を示す。
【図７Ａ】[0057]  図７Ａは、多層照明シートが完全に格納された位置にある格納式照明器具の第５の実施形態を示す。
【図７Ｂ】[0058]  図７Ｂは、多層照明シートが完全に引き出された位置にある格納式照明器具の第５の実施形態を示す。
【発明を実施するための形態】
【００５１】
[0059]  概して、出願人は、格納式照明シートを有するＬＥＤベースの照明器具を提供することが有益であることを認識し理解している。上記に鑑み、本発明の様々な実施形態及び実施態様は、格納可能なＬＥＤ照明層を採用し、当該ＬＥＤ照明層上に１つ以上のオプションの光学層が提供されているＬＥＤベースの照明器具に関する。光学シートとＬＥＤ照明シートとは、任意選択的に、少なくとも互いに拡張され離間された関係と、互いに圧縮された関係との間で、互いに対し可動である。幾つかの実施形態では、ＬＥＤ照明シート上の１つ以上のＬＥＤは、個別に制御可能であり、また、当該ＬＥＤは、格納された位置にあるときは、選択的に消灯される。
【００５２】
[0060]  以下の詳細な説明において、限定ではなく説明の目的として、クレームされた発明の十分な理解を提供するために、特定の詳細を開示する代表的な実施形態を明記する。しかし、本開示の恩恵を受けた当業者であれば、本明細書に開示された特定の詳細から逸脱するが本教示に従う他の実施形態も添付の特許請求の範囲内にあることは明らかであろう。例えば説明を通して、様々な実施形態が、特定の用途向けに構成された特定の照明器具と組み合わせて考察される。しかし、本開示の恩恵を受けた当業者であれば、その原理は、他の用途向けに構成された他の照明器具においても実施されることを認識し理解するであろう。更に、周知の装置及び方法の説明は、代表的な実施形態の説明を曖昧にしないために省略する。当該周知の方法及び装置は、明らかに、クレームされた発明の範囲内である。
【００５３】
[0061]  まず、図１を参照するに、格納式照明器具１０の第１の実施形態の側面図が示される。照明器具１０は、ハウジング２０と、ハウジング２０内に格納式に保管可能なフレキシブル多層照明シートとを含む。図示される多層照明シートは、ＬＥＤ層３０と、ＬＥＤ層３０上にある光学層４０とを含む。多層照明シートは、ハウジング２０の開口部を通り延在しているように示される。多層照明シートの一部がハウジング２０の外側にあり、図１において可視である。多層照明シートの別の部分は、ハウジング２０内に格納可能に保管され、図１では図示されていない。ハウジング２０内に保管された多層照明シートの一部は、任意選択的に、図１に示されるマンドレル２２の周りに巻き付けられる。代替実施形態では、マンドレル２２は省略される。例えば幾つかの実施形態では、多層照明シートは、それ自身に巻き付けられる。本明細書において更に詳細に説明されるように、多層照明シートの全部又は一部は、１つ以上の所望の静止引出位置へと、ハウジング２０から選択的に引き出される。例えば多層照明シートは、完全に延長された静止位置及び／又は（図１に示される位置のように）完全には延長されていない１つ以上の静止位置へと、ハウジング２０から選択的に引き出される。また、多層照明シートの全部又は一部は、１つ以上の所望の静止格納位置へと、ハウジング２０内に引き込められる。例えば多層照明シートは、完全に引き込められた静止位置及び／又は（図１に示される位置のように）完全に引き込められてはいない１つ以上の静止位置へと、ハウジング２０内に引き込められる。
【００５４】
[0062]  図１では、多層照明シートの態様をよりよく示すために、多層照明シートの側面が取り除かれている。当該側面は、拡散材料、不透明材料、及び／若しくは透明材料から形成されても、又は、幾つかの実施形態では省略されてもよい。図１では、ＬＥＤ層３０の端３１と光学層４０の端４１との間に延在するエンドキャップ１７が示される。エンドキャップ１７も同様に、拡散材料、不透明材料、及び／若しくは透明材料から形成されても、又は、幾つかの実施形態では省略されてもよい。
【００５５】
[0063]  ＬＥＤ層３０は、その上に複数のＬＥＤ３４を含み、また、任意選択的に、ＬＥＤ３４まで延在する電気的接続を含む。代替実施形態では、電気的接続は、ＬＥＤ層３０と別個にＬＥＤ３４に提供される。これらのＬＥＤ３４はすべて、そこからの光出力の大部分が、主に光学層４０に向けられるように位置付けられる。ＬＥＤ３４を囲む表面３６は、そこに入射した任意のＬＥＤ光を光学層４０に向けて方向転換するように、任意選択的に反射性である。例えば光反射性コーティングが表面３６に塗布される。表面３６とは反対側のＬＥＤ層３０の表面も、任意選択的に反射性である。例えば幾つかの実施形態では、照明器具１０は、天幕として使用され、また、これらの実施形態の幾つかの変形では、ＬＥＤ層３０の上部反射表面が、多層照明シートから日光を反射させる。
【００５６】
[0064]  光学層４０は、フレキシブル光学拡散シートである。ＬＥＤ層３０から適切な距離で離間されると、拡散光学層４０は、ＬＥＤ３４からの光点パターンの出現を最小限に抑えるのに役立つ、及び／又は、多色ＬＥＤ３４からの光出力の混合に役立つ。光学層４０は、これに加えて又はこれに代えて、幾つかの実施形態では、光学層を通り放射される光の色を変更するように蛍光体を含む。
【００５７】
[0065]  光学層４０及びＬＥＤ層３０は、一対の圧縮ローラ２４Ａ、２４Ｂの下流では、互いに拡張され離間された関係Ｅにあり、圧縮ローラ２４Ａ、２４Ｂの上流では、互いに圧縮された関係Ｃにあるように示される。ＬＥＤ層３０及び／又は光学層４０は、ハウジング２０から離れるように伸ばされ、例えば折り畳み式天幕アームといった機械式天幕部品を使用して、所望の引出位置に維持される。本開示の恩恵を受けた当業者であれば、多層照明シートを所望の引出位置に維持するために、折り畳み式天幕アーム及び／又は他の補強材を照明器具１０に適用してもよいことを認識し理解するであろう。
【００５８】
[0066]  複数の間隔形成構造体１５が、光学層４０とＬＥＤ層３０との間に延在し、光学層とＬＥＤ層とが拡張され離間された関係Ｅにあるときに、それらの間に所望の空間を維持するのに役立つ。幾つかの実施形態では、間隔形成構造体１５のうちの１つ以上は、拡張状態に付勢される。例えば幾つかの実施形態では、間隔形成構造体１５は、拡張状態に付勢される発泡構造体、バネ、及び／又は油圧式構造体を含む。幾つかの実施形態では、間隔形成構造体１５のうちの１つ以上は付勢されない。例えば幾つかの実施形態では、間隔形成構造体１５は、糸及び／又は付勢されない棒を含む。幾つかの実施形態では、ＬＥＤ層３０と光学層４０との間の、拡張され離間された関係Ｅのときの距離は、固定されている。その他の実施形態では、拡張され離間された関係Ｅのときの距離は、可変であり、これにより、特に様々な光学効果、可変色温度、又は他の可変光出力特性を可能にする。例えば幾つかの実施形態では、ユーザによって、側壁の一部又は全部及び／又はエンドキャップ１７の高さが（例えばスナップ、ジッパー、取り換え可能な側壁／エンドキャップを使用して）調節可能であり、これにより、ＬＥＤ層３０の全部又は一部と光学層４０との互いからの最大距離を制限する。
【００５９】
[0067]  一対の圧縮ローラ２４Ａ、２４Ｂは、ハウジング２０の入口に隣接して提供され、ＬＥＤ層３０及び光学層４０の一部を、ハウジング２０に入る前に、圧縮関係Ｃとなるように互いに押し付ける。圧縮ローラ２４Ａ、２４Ｂは、照明器具のハウジング２０に任意選択的に結合される。多層照明シートは、ハウジング２０内で、圧縮関係Ｃでマンドレル２２に任意選択的に結合され、巻き付けられる。圧縮ローラ２４Ａ、２４Ｂは、代替実施形態では、ハウジング２０内に提供される。本明細書において説明されるように、多層照明シートが圧縮ローラ２４Ａ、２４Ｂの下流に移動するにつれて、ＬＥＤ層３０及び光学層４０は、互いに拡張され離間された関係Ｅに移動する。多層照明シートがハウジング２０内へと引き込まれるにつれて、圧縮ローラ２４Ａ、２４Ｂは、ＬＥＤ層３０及び光学層４０を互いに圧縮関係Ｃとなるように押し付ける。層３０、４０は、ハウジング２０内のマンドレル２２の周りに巻き付けられる間、圧縮関係Ｃに維持される。
【００６０】
[0068]  照明器具１０は、格納式天幕としての使用に特に適している。例えば昼間は、多層照明シートは、部分的に又は完全に引き出され、日陰を提供する。夜間は、天幕下での活動に十分な光を提供するように、及び／又は、天幕下に熱を提供する（例えば赤外線ＬＥＤを使用して）ように、多層照明シートによって赤熱光を放つ光面が提供される。
【００６１】
[0069]  次に、図２を参照するに、図１の格納式照明器具１０の概略図が示され、そのＬＥＤ制御システムの態様を示す。多層照明シートは、図２では、図１におけるよりも多く引き込まれている。具体的には、図２では、ＬＥＤ３４の７つの別個の列（３４Ｃ〜Ｉ）がハウジング２０から引き出されている一方で、図１では、１６列がハウジング２０から引き出されている。図２では、ハウジング２０内で圧縮されている照明シートの残りの部分（ＬＥＤ列３４Ａ及び３４Ｂ）が可視であり、また、図２では、ハウジング２０内で圧縮されている他の部分（例えば追加のＬＥＤ列）は見えない。
【００６２】
[0070]  電源１２が、ハウジング２０内に保持され、正の出力１３と負の出力１４とを含む。幾つかの実施形態では、電源１２は、主電源に電気的に結合された１つ以上のＬＥＤドライバを含む。他の実施形態では、バッテリ、太陽パネル、及び／又は、他の外部電源が使用される。代替実施形態では、電源１２は、ハウジング２０の外側に配置される。正の出力１３は、ＬＥＤ列３４Ａ〜Ｉの１つの側に沿って延在し、負の出力１４は、ＬＥＤ列３４Ａ〜Ｉの反対側に沿って延在する。ＬＥＤ列３４Ａ〜Ｅ、３４Ｇ、及び３４Ｉは、それぞれ、２つのＬＥＤ３４を含み、ＬＥＤ列３４Ｆ及び３４Ｈは、それぞれ、単一のＬＥＤ３４を含む。正の出力１３及び負の出力１４は、閉じられたスイッチ５２Ｂを介して、ＬＥＤグループ３４Ｃ〜Ｉの適切なＬＥＤ３４のリード線に供給される。正の出力１３及び負の出力１４は、スイッチ５２Ａが開いている結果、ＬＥＤグループ３４Ａ及び３４ＢのＬＥＤ３４のリード線には到達できない。したがって、光は、ハウジング２０の外側にあるＬＥＤ３４によって生成され、ハウジング２０内のＬＥＤによっては生成されない。ＬＥＤ３４を、ハウジング２０内にあるときに消灯することによって、エネルギーが節約され、幾つかのＬＥＤ３４の寿命が保全され、及び／又は、ハウジング２０内の熱の蓄積が減少される。
【００６３】
[0071]  幾つかの実施形態では、スイッチ５２Ａ、５２Ｂの状態は、コントローラ５０を介して制御される。例えば幾つかの実施形態では、スイッチの状態を制御するために、コントローラ５０と個々のスイッチ５２Ａ、５２Ｂとの間には配線が延在する。更に、例えば幾つかの実施形態では、コントローラ５０は、スイッチの状態を制御するためにスイッチ５２Ａ、５２Ｂへと無線制御信号を送信する。コントローラ５０は、どのスイッチが開いているべきでどのスイッチが閉じているべきかを決定するために、１つ以上の方法を使用する。例えば一実施態様では、コントローラ５０は、モータ２３に電気的に結合される。モータ２３は、光源１２、主電源、又は別の電源に電気的に結合され、マンドレル２２（図２では図示せず）及び／又は１つ以上の天幕アームを駆動する。コントローラ５０は、モータ２３の出力を決定し、決定された出力を、どのＬＥＤグループ３４Ａ〜Ｉがハウジング２０の中で、どのＬＥＤグループ３４Ａ〜Ｉがハウジング２０の外であるかの決定に相関させる。例えばコントローラ５０は、モータ２３が起動された後、毎秒、一列のＬＥＤ３４がハウジング２０から（モータの方向に応じて）引き出されるか又は引き込まれるかを認識し、モータ２３が起動された時間量と起動方向とに基づいて、適切なスイッチ制御信号を送信する。
【００６４】
[0072]  また、例えば別の実施態様では、コントローラ５０は、１つ以上のＬＥＤ３４の位置を直接的に又は間接的に決定する１つ以上のセンサに電気的に結合される。例えばセンサ（例えばホール効果センサ）が、モータ２３及び／又はマンドレル２２の回転を測定するために、それらに隣接して提供される。コントローラ５０は、当該センサと電気的に通信し、どのＬＥＤ３４がハウジング２０内に引き込まれ、消灯されるべきかを決定するために、回転の回数及び方向を分析する。また、例えば距離センサ（例えば超音波、レーザ）が、ハウジング２０とＬＥＤ層３０の端３１との間の距離を測定するように位置付けられてもよい。コントローラ５０は、当該センサと電気的に通信し、どのＬＥＤ３４がハウジング２０内に引き込まれ、消灯されるべきかを決定するために当該距離を利用する。また、例えば１つ以上の光学センサが、周囲環境光（又はその不在）を検出するように多層照明シート上に位置付けられてもよい。コントローラ５０は、当該センサと電気的に通信し、どのセンサがハウジング２０の中で、どのセンサがハウジング２０の外かを決定する。この決定に基づき、コントローラ５０は、各光学センサに関連付けられた１つ以上のＬＥＤ３４を適切に点灯又は消灯する。コントローラ５０は更に、露出している光センサによって検出された周囲環境光レベルに少なくとも部分的に基づいて、１つ以上の点灯ＬＥＤ３４の光出力を制御する。また、例えば１つ以上の磁場センサが、磁場（又はその不在）を検出するように多層照明シート上に位置付けられてもよい。磁場は、（例えば永久磁石及び／又は電磁石を介して）ハウジング２０内に存在する。コントローラ５０は、当該センサと電気的に通信し、磁場測定結果に基づいて、どのセンサがハウジング２０の中で、どのセンサがハウジング２０の外にあるのかを決定する。この決定に基づき、コントローラ５０は、各磁場センサに関連付けられた１つ以上のＬＥＤを適切に点灯又は消灯する。
【００６５】
[0073]  別の実施形態では、コントローラ５０は省略される。例えば幾つかの実施形態では、スイッチ５２Ａ、５２Ｂは、押されるとスイッチ５２Ａ、５２Ｂを開く機械構造体に直接結合される。この機械構造体は、ＬＥＤ層３０と光学層４０とが互いに圧縮関係Ｃにあるときに、光学層４０との接触を介して押され、これにより、当該機械構造体に関連付けられたＬＥＤ３４が消灯される。更に、例えば幾つかの実施形態では、スイッチ５２Ａ、５２Ｂは、第１の位置にあるときに、スイッチ５２Ａ、５２Ｂを開く磁気的機械構造体に直接結合される。磁気的機械構造体は、少なくとも所定の強度の磁場内にあることによって、第１に位置に移動される。このような磁場は、ハウジング２０内に存在する。したがって、スイッチ５２Ａ、５２Ｂは、ハウジング２０内にあるときは開かれ、これにより、これらに関連付けられたＬＥＤ３４は消灯する。また、例えば幾つかの実施形態では、スイッチ５２Ａ、５２Ｂは、引き込まれる際にハウジング２０の入口を通過するとき、圧縮ローラ２４Ａ、２４Ｂ及び／又はハウジング２０の入口によって第１の方向に旋回され、また、引き出される際にハウジング２０の入口を通過するとき、第２の方向に旋回される機械構造体に直接結合される。第１の方向は、スイッチ５２Ａ、５２Ｂを開き、第２の方向は、スイッチ５２Ａ、５２Ｂを閉じる。
【００６６】
[0074]  本明細書において、特定のセンサと、ＬＥＤ照明制御システムの他の態様とのそれらの相互作用とを説明したが、本開示の恩恵を受けた当業者であれば、１つ以上のＬＥＤ３４の相対位置を決定するために、他のセンサを追加的に又は代替的に使用してもよいことを認識し理解するであろう。更に、当該センサは、１つ以上のＬＥＤに対応する別個のスイッチを制御するコントローラと通信するか、又は、１つ以上のＬＥＤに対応するスイッチと直接通信してもよいことを認識し理解できよう。
【００６７】
[0075]  図２は、単一のスイッチによって、それぞれ、共通に制御される少なくとも一対のＬＥＤ３４を示すが、本開示の恩恵を受けた当業者であれば、代替実施形態では、照明器具内では、より多くの又はより少ない数のＬＥＤ３４が共通に点灯及び消灯されてよいことを認識し理解するであろう。例えば幾つかの実施形態では、１つ以上のＬＥＤが個別に点灯及び消灯される。更に、例えば幾つかの実施形態では、複数列のＬＥＤが、共通に点灯及び消灯される。例えば図２の実施形態では、ＬＥＤ列３４Ｃ及び３４Ｄが、負の出力１４とＬＥＤ列３４Ｃ及び３４ＤのＬＥＤ３４の負のリード線との間に配置されたスイッチ５２Ｂの起動によって、共通に点灯及び消灯される。更に、例えばＬＥＤ列３４Ｄ及び３４Ｅは、正の出力１３とＬＥＤ列３４Ｄ及び３４ＥのＬＥＤ３４の正のリード線との間に配置されたスイッチ５２Ｂの起動によって、共通に点灯及び消灯される。
【００６８】
[0076]  図３を参照するに、格納式照明器具のＬＥＤ制御システムの態様を示す、当該格納式照明器具の第２の実施形態１１０の概略図が示される。図３には、照明シートのＬＥＤ３４の１１の別個の列が示される。照明シート上のＬＥＤ３４の列のうちの８列（ＬＥＤ列１３４Ｄ〜Ｋ）が、ハウジング１２０から完全に引き出されている。図３では、ハウジング１２０内にある照明シートの残りの部分（ＬＥＤ列１３４Ａ〜Ｃ）は可視であり、また、図３では、ハウジング１２０内にあるその他の部分（例えば他のＬＥＤ列）は見えない。
【００６９】
[0077]  正の電源出力１１３と負の電源出力１１４とが、ハウジング１２０内へと延在する。幾つかの実施形態では、出力は、主電源に電気的に結合された１つ以上の電源制限ＬＥＤドライバを含む外部電源から延在する。代替実施形態では、電源は、ハウジング１２０内に配置される。正の出力１１３は、ＬＥＤ列１３４Ａ〜Ｋの１つの端に沿って延在し、負の出力１１４は、ＬＥＤ列１３４Ａ〜Ｋの反対の端に沿って延在する。ＬＥＤ列３４Ａ、Ｃ、Ｅ、Ｇ、Ｉ及びＫは、それぞれ、互いに並列に接続された３つのＬＥＤ１３４を含み、ＬＥＤ列３４Ｂ、Ｄ、Ｆ、Ｈ及びＪは、それぞれ、互いに並列に接続された２つのＬＥＤ１３４を含む。ＬＥＤ列１３４Ａ〜Ｋは、互いに直列に接続される。正の出力１１３は、ＬＥＤ列１３４ＡのＬＥＤ１３４の適切なリード線に供給され、負の出力１１４は、ＬＥＤ列１３４ＫのＬＥＤ１３４の適切なリード線に供給される。スイッチ１５２Ｂを閉じることによって、ＬＥＤグループ１３４Ａ、１３４Ｂ、及び１３４ＣのＬＥＤ１３４間に電圧差がなくなる。したがって、これらのＬＥＤ１３４は発光しない。電圧差は、グループ１３４Ｄ〜Ｋ間では形成され、電源によって生成された電流は、適宜制限されるべきである。したがって、図示される配置では、光は、ハウジング１２０の外のＬＥＤ１３４によって生成され、ハウジング１２０の中のＬＥＤ１３４によっては生成されない。
【００７０】
[0078]  幾つかの実施形態では、スイッチ１５２Ａ、１５２Ｂの状態は、コントローラ、１つ以上の機械構造体、及び／又は１つ以上のセンサを介して、図２に関して説明したのと同様に制御される。例えば幾つかの実施形態では、スイッチ１５２Ａ、１５２Ｂは、押されるとスイッチ１５２Ａ、１５２Ｂを閉じる機械構造体に直接に結合される。当該機械構造体は、照明シートがハウジング１２０内に引き込まれる際の構造体との接触を介して押され、これにより、機械構造体に関連付けられたＬＥＤ１３４を消灯する。図３は、ＬＥＤ１３４の対及び３つのまとまりの両方が、単一のスイッチによって共通に制御されていることを示すが、本開示の恩恵を受けた当業者であれば、代替実施形態では、照明器具内では、より多くの又は少ない数のＬＥＤ１３４が、共通に点灯及び消灯されてよいことを認識し理解するであろう。
【００７１】
[0079]  図４Ａを参照するに、格納式照明器具の第３の実施形態２１０の側面図が示される。照明器具２１０は、ハウジング２２０と、ハウジング２２０内に格納式に保管可能なフレキシブル多層照明シートとを含む。図示される多層照明シートは、ＬＥＤ層２３０と、ＬＥＤ層２３０の両側の光学層２４０Ａ、２４０Ｂとを含む。多層照明シートは、ハウジング２２０の開口部を通り延在しているように示される。多層照明シートの一部がハウジング２２０の外側にあり、図４Ａにおいて可視である。多層照明シートの別の部分は、ハウジング２２０内に格納可能に保管され、図４Ａでは図示されていない。ハウジング２２０内に保管された多層照明シートの一部は、任意選択的に、マンドレル２２２の周りに巻き付けられる。多層照明シートの全部又は一部は、１つ以上の所望の静止引出位置へと、ハウジング２２０から選択的に引き出される。例えば多層照明シートは、完全に延長された静止位置及び／又は（図４Ａに示される位置のように）完全には延長されていない１つ以上の静止位置へと、ハウジング２２０から選択的に引き出される。また、多層照明シートの全部又は一部は、１つ以上の所望の静止格納位置へと、ハウジング２２０内に引き込まれる。
【００７２】
[0080]  図４Ａでは、多層照明シートの態様をよりよく示すために、多層照明シートの側面が取り除かれている。当該側面は、拡散材料、不透明材料、及び／若しくは透明材料から形成されても、又は、幾つかの実施形態では省略されてもよい。図４Ａでは、ＬＥＤ層２３０の端２３１と光学層２４０Ａ、２４０Ｂの端２４１Ａ、２４１Ｂとの間に延在するエンドキャップ２１７が示される。エンドキャップ２１７も同様に、拡散材料、不透明材料、及び／若しくは透明材料から形成されても、又は、幾つかの実施形態では省略されてもよい。
【００７３】
[0081]  ＬＥＤ層２３０は、その第１の側面上に複数のＬＥＤ２３４Ａを、その第２の側面上に複数のＬＥＤ２３４Ｂを含む。ＬＥＤ層は、任意選択的に、ＬＥＤ２３４Ａ、２３４Ｂまで延在する電気的接続を含む。ＬＥＤ２３４Ａはすべて、そこからの光出力の大部分が、主に光学層２４０Ａに向けられるように位置付けられ、ＬＥＤ２３４Ｂはすべて、そこからの光出力の大部分が、主に光学層２４０Ｂに向けられるように位置付けられる。ＬＥＤ２３４Ａ、２３４Ｂを囲む表面２３６Ａ、２３６Ｂは、そこに入射した任意のＬＥＤ光を光学層２４０Ａ、２４０Ｂに向けて方向転換するように、任意選択的に反射性である。
【００７４】
[0082]  光学層２４０Ａ、２４０Ｂは、幾つかの実施形態では、フレキシブル光学拡散シートである。光学層２４０Ａ、２４０Ｂは、これに加えて又はこれに代えて、幾つかの実施形態では、光学層を通り放射される光の色を変更するように蛍光体を含む。幾つかの実施形態では、光学層２４０Ａ、２４０Ｂは、実質的に同様の構造を有する。他の実施形態では、光学層２４０Ａ、２４０Ｂは、明確に異なる構造を有する。例えば光学層２４０Ａ、２４０Ｂのうちの一方が、第１の一般的な方向に光を向けるためにプリズムをその上に有し、光学層２４０Ａ、２４０Ｂのうちのもう一方が、第２の一般的な方向に光を向けるためにプリズムをその上に有する。
【００７５】
[0083]  光学層２４０Ａ、２４０Ｂ及びＬＥＤ層２３０は、一対の圧縮ローラ２２４Ａ、２２４Ｂと一対の拡張ローラ２２６Ａ、２２６Ｂの下流では、互いに拡張され離間された関係Ｅにあるように示される。光学層２４０Ａ、２４０Ｂ及びＬＥＤ層２３０は、圧縮ローラ２２４Ａ、２２４Ｂと拡張ローラ２２６Ａ、２２６Ｂの上流では、互いに圧縮された関係Ｃにあるように示される。ＬＥＤ層２３０及び／又は光学層２４０Ａ、２４０Ｂは、ハウジング２２０から離れるように伸ばされ、例えば重力及び多層照明シートの重量を使用して、所望の引出位置に維持される。本開示の恩恵を受けた当業者であれば、多層照明シートを所望の引出位置に維持するために、機械的特徴を照明器具２１０に任意選択的に適用してもよいことを認識し理解するであろう。
【００７６】
[0084]  一対の圧縮ローラ２２４Ａ、２２４Ｂは、ハウジング２２０の入口に隣接して提供され、ＬＥＤ層２３０及び光学層２４０Ａ、２４０Ｂの一部を、ハウジング２２０に入る前に、圧縮関係Ｃとなるように互いに押し付ける。多層照明シートが圧縮ローラ２２４Ａ、２２４Ｂの下流に移動するにつれて、光学層２４０Ａ、２４０Ｂが、拡張ローラ２２６Ａ、２２６Ｂの周りを移動し、拡張ローラは、光学層２４０Ａ、２４０Ｂを互いに拡張され離間された関係Ｅに移動する。多層照明シートがハウジング２２０内へと引き込まれるにつれて、圧縮ローラ２２４Ａ、２２４Ｂは、ＬＥＤ層２３０と光学層２４０とを互いに圧縮関係Ｃとなるように押し付ける。層２３０、２４０Ａ、２４０Ｂは、ハウジング２２０内のマンドレル２２２の周りに巻き付けられる間、圧縮関係Ｃに維持される。圧縮ローラ２２４Ａ、２２４Ｂ、及び／又は、拡張ローラ２２６Ａ、２２６Ｂは、任意選択的に、照明器具のハウジング２２０に結合される。代替実施形態では、圧縮ローラ２２４Ａ、２２４Ｂ、及び／又は、拡張ローラ２２６Ａ、２２６Ｂは、ハウジング２２０により近位に及び／又はハウジング２２０内に提供される。
【００７７】
[0085]  図４Ｂは、図４Ａの格納式照明器具の第３の実施形態２１０の側面図を示す。格納式照明器具の拡張ローラ２２６Ａ、２２６Ｂは、図４Ｂでは、第２の位置にあるものとして示され、ここでは、光学層２４０Ａ、２４０Ｂは、図４Ａにおけるよりも多くＬＥＤ層２３０から離間されている。エンドキャップ２１７は、図４ＡのそのＶ字型構造から、空間の増加に対応するように平らにされる。図４Ａ及び図４Ｂでは２つの位置が示されるが、本開示の恩恵を受けた当業者であれば、拡張ローラ２２６Ａ、２２６Ｂは、多数の他の位置に任意選択的に調節されてもよいことを認識し理解するであろう。更に、様々な実施形態では、拡張ローラ２２６Ａ、２２６Ｂは、互いから独立して調節可能である。例えば幾つかの実施形態では、拡張ローラ２２６Ａ、２２６Ｂは、光学層２４０ＡはＬＥＤ層２３０から第１の距離で離れ、光学層２４０ＢはＬＥＤ層２３０から異なる第２の距離で離れるように調節される。ユーザが、拡張ローラ２２６Ａ、２２６Ｂの位置決めを操作できるように、ユーザインターフェースが、任意選択的に提供される。例えば幾つかの実施形態では、ユーザは、ユーザインターフェースを使用して、所望の照明効果を選択し、拡張ローラ２２６Ａ、２２６Ｂは、その効果に対応する所定の間隔に適宜調節される。
【００７８】
[0086]  照明器具の第２の実施形態２１０のＬＥＤ２３４は、任意選択的に、本明細書に説明される方法及び／又は装置の１つ以上を使用して制御される。例えばＬＥＤは、ハウジング２２０内及び／又は圧縮ローラ２２４Ａ、２２４Ｂの上流にあるＬＥＤ２３４は消灯するように制御される。更に、例えば様々な色及び色変化照明効果を生成するために、ＬＥＤ２３４Ａ及び／又はＬＥＤ２３４Ｂの一部又は全部が制御される。
【００７９】
[0087]  照明器具２１０は、格納可能で、任意選択的に、携帯可能な照明表面としての使用に特に適している。例えば照明器具２１０は、空間を分けるデバイダとして、テントの天井又は他の場所から吊り下げられる光源として、及び／又は、他の実施態様において、使用される。
【００８０】
[0088]  図５は、格納式照明器具の第４の実施形態３１０の側断面図を示す。照明器具３１０は、ハウジング３２０と、ハウジング３２０内に格納式に保管可能なフレキシブル多層照明シートとを含む。図示される多層照明シートは、ＬＥＤ層３３０と、ＬＥＤ層３００の両側の光学層３４０Ａ、３４０Ｂとを含む。多層照明シートは、ハウジング３２０の開口部を通り延在しているように示される。多層照明シートの一部がハウジング３２０の外側にあり、図５において可視である。多層照明シートの別の部分は、ハウジング３２０内に格納可能に保管される。ハウジング３２０内に保管された多層照明シートの一部は、３つの別個のマンドレル（光学層マンドレル３２８Ａ、３２８Ｂ及びＬＥＤ層マンドレル３２７）から垂れ下がる、及び／又は、当該マンドレルの周りに巻き付けられる。光学層３４０Ａは、光学層マンドレル３２８Ａに結合され、光学層３４０Ｂは、光学層マンドレル３２８Ｂに結合され、ＬＥＤ層３３０は、ＬＥＤ層マンドレル３２７に結合される。多層照明シートの全部又は一部は、対応するマンドレル３２７、３２８Ａ及び３２８Ｂ周りの層３３０、３４０Ａ及び３４０Ｂの回転を介して、１つ以上の所望の静的引出位置へと、ハウジング３２０から選択的に引き出される。代替実施形態では、マンドレル３２７、３２８Ａ及び３２８Ｂのうちの１つ以上が省略される。例えば幾つかの実施形態では、層３３０、３４０Ａ及び３４０Ｂのうちの１つ以上が、ハウジング３２０内でそれ自身に巻き付けられる。
【００８１】
[0089]  ＬＥＤ層３３０は、その第１の側面上に複数のＬＥＤ３３４Ａを、その第２の側面上に複数のＬＥＤ３３４Ｂを含む。ＬＥＤ層は、任意選択的に、ＬＥＤ３３４Ａ、３３４Ｂまで延在する電気的接続を含む。ＬＥＤ３３４Ａはすべて、そこからの光出力の大部分が、主に光学層３４０Ａに向けられるように位置付けられ、ＬＥＤ３３４Ｂはすべて、そこからの光出力の大部分が、主に光学層３４０Ｂに向けられるように位置付けられる。ＬＥＤ３３４Ａ、３３４Ｂを囲む表面３３６Ａ、３３６Ｂは、そこに入射した任意のＬＥＤ光を光学層３４０Ａ、３４０Ｂに向けて方向転換するように任意選択的に反射性である。図５には、ＬＥＤ層３３０の端と光学層３４０Ａ、３４０Ｂとの間に延在するエンドキャップ３１７が示される。
【００８２】
[0090]  ＬＥＤ層３３０及び／又は光学層３４０Ａ、３４０Ｂは、ハウジング３２０から離れるように伸ばされ、例えば重力及び多層照明シートの重量を使用して所望の引出位置に維持される。幾つかの実施形態では、ＬＥＤ層マンドレル３２７及び光学層マンドレル３２８Ａ、３２８Ｂのうちの１つ以上は、水平方向及び／又は垂直方向に移動可能である。例えば光学層マンドレル３２８Ａ、３２８Ｂは、互いの近くに又は互いから離れるように水平方向に移動可能であり、これにより、光学層３０４Ａ、３４０Ｂの互いに対する間隔と、ＬＥＤ層３３０に対する間隔とが変更される。更に、例えばＬＥＤ層マンドレル３２７も、光学層３４０Ａ、３４０Ｂに対するＬＥＤ層３３０の間隔を変更するように水平方向に移動可能である。
【００８３】
[0091]  照明器具の第４の実施形態３１０のＬＥＤ３３４は、任意選択的に、本明細書に説明される方法及び／又は装置の１つ以上を使用して制御される。例えばＬＥＤ３３４は、ハウジング３２０内のＬＥＤ３３４は消灯するように制御される。更に、例えば様々な色及び色変化照明効果を生成するために、ＬＥＤ３３４Ａ及び／又はＬＥＤ３３４Ｂの一部又は全部が制御される。
【００８４】
[0092]  図６は、本明細書に説明される照明器具と組み合わされて使用される多層照明シートの一実施形態の断面図を示す。照明シートは、複数のＬＥＤ４３４をその上に有するＬＥＤ層４３０を含む。ＬＥＤ４３４は、ＬＥＤ４３４からの光出力を拡散光学層４４０に向けて反射する反射層４６０に向けられる。幾つかの実施形態では、ＬＥＤ４３４を囲む表面４３６は、ＬＥＤ４３４からそこに入射した任意のＬＥＤ光を、反射層４６０に方向転換するように、任意選択的に反射性である。別の実施形態では、表面４３６は、任意選択的に、ＬＥＤ４３４からそこに入射した任意の光を、光学層４４０に向けて透過させるように透明である。ＬＥＤ層４３０は、任意選択的に、反射層４６０によって反射された光が光学層４４０を通過するように、１つ以上の開口部を含む。例えば幾つかの実施形態では、ＬＥＤ層４３０は、ＬＥＤ列をそれぞれ含む複数のＬＥＤストリップを含み、各ＬＥＤストリップの間には空いた空間が提供される。図６では、ＬＥＤ４３４のうちの１つから放射される例示的な光線が示される。Ｌ１において、光線は、ＬＥＤ４３４から反射面４６０へと進行し、光線は、反射面において、Ｌ２において、光学層４４０に向かって反射される。代替実施形態では、反射面４６０は、反射が拡散するようにテクスチャード加工される。光線は、Ｌ３において、光学層４４０を通過する。光線は、光学層４４０において拡散される。
【００８５】
[0093]  次に、図７Ａ及び図７Ｂを参照するに、格納式照明器具の第５の実施形態５１０が示される。その多層照明シート５１９は、図７Ａでは完全に引き込まれた位置に示され、図７Ｂでは完全に引き出された位置に示される。照明器具５１０は、時刻を表示するフェースを有するハウジング５７５を含む。照明器具５１０は更に、伸縮アーム５７１に結合されたハンドル５７３を含み、収縮アームは、照明シート５１９がハウジング５７５内に部分的に又は（図７Ａに示されるように）完全に引き込まれることを可能にするように収縮する。アーム５７１は更に、（図７Ｂに示されるように）完全に引き出された位置、又は、完全に引き込まれた位置と完全に引き出された位置との間の所望の位置へと延長される。代替実施形態では、伸縮アーム５７１は、回転アームに置き換えられる。
【００８６】
[0094]  多層照明シート５１９は、本明細書において説明されたような１つ以上のＬＥＤ層及び／又は光学層を組み込んでよい。更に、ＬＥＤ層のＬＥＤは、任意選択的に、本明細書において説明された方法及び／又は装置の１つ以上を使用して制御される。例えばＬＥＤは、ハウジング５７５の中のＬＥＤは消灯するように制御される。更に、例えば幾つかの実施形態では、引き出された多層シート５１９上のＬＥＤは、予め設定されたアラーム時刻において目覚まし光パターンを生成するように列毎に駆動される。更に、例えば様々な色及び色変化照明効果を生成するために、ＬＥＤの一部又は全部が制御される。
【００８７】
[0095]  本明細書において説明された照明器具の特定の実施形態は、ウィンドウブラインドにおいて実施されてもよい。照明シートは、当該照明器具のハウジングから引き出されて外部光を遮断するか、及び／又は、任意選択的に、同時に内部領域に光を提供しつつプライバシーを提供する。照明シートは更に、外部の眺めを提供するように、及び／又は、内部領域に外部光が提供されるように、ハウジング内に引き込まれる。
【００８８】
[0096]  幾つかの発明実施形態を本明細書に説明し例示したが、当業者であれば、本明細書において説明した機能を実行するための、並びに／又は、本明細書において説明した結果及び／若しくは１つ以上の利点を得るための様々な他の手段及び／若しくは構造体を容易に想到できよう。また、このような変更及び／又は改良の各々は、本明細書において説明される発明実施形態の範囲内であるとみなす。より一般的には、当業者であれば、本明細書において説明されるすべてのパラメータ、寸法、材料、及び構成は例示のためであり、実際のパラメータ、寸法、材料、及び／又は構成は、発明教示内容が用いられる１つ以上の特定用途に依存することを容易に理解できよう。当業者であれば、本明細書において説明した特定の発明実施形態の多くの等価物を、単に所定の実験を用いて認識又は確認できよう。したがって、上記実施形態は、ほんの一例として提示されたものであり、添付の請求項及びその等価物の範囲内であり、発明実施形態は、具体的に説明された又はクレームされた以外に実施可能であることを理解されるべきである。本開示内容の発明実施形態は、本明細書において説明される個々の特徴、システム、品物、材料、キット、及び／又は方法に関する。さらに、２つ以上のこのような特徴、システム、品物、材料、キット、及び／又は方法の任意の組み合わせも、当該特徴、システム、品物、材料、キット、及び／又は方法が相互に矛盾していなければ、本開示内容の本発明の範囲内に含まれる。
【００８９】
[0097]  本明細書において定義されかつ用いられた定義はすべて、辞書の定義、参照することにより組み込まれた文献における定義、及び／又は、定義された用語の通常の意味に優先されて理解されるべきである。
【００９０】
[0098]  本明細書及び特許請求の範囲において使用される「ａ」及び「ａｎ」の不定冠詞は、特に明記されない限り、「少なくとも１つ」を意味するものと理解されるべきである。
【００９１】
[0099]  本明細書及び特許請求の範囲において使用される「及び／又は」との表現は、等位結合された要素の「いずれか又は両方」を意味すると理解すべきである。すなわち、要素は、ある場合は接続的に存在し、その他の場合は離接的に存在する。「及び／又は」を用いて列挙される複数の要素も同様に解釈されるべきであり、すなわち、要素のうちの「１つ以上」が等位結合される。「及び／又は」節によって具体的に特定された要素以外の他の要素も、それが具体的に特定された要素に関連していても関連していなくても、任意選択的に存在してよい。
【００９２】
[00100]  本明細書及び特許請求の範囲に用いられるように、「又は」は、上に定義したような「及び／又は」と同じ意味を有すると理解すべきである。例えば、リストにおけるアイテムを分ける場合、「又は」、又は、「及び／又は」は包括的と解釈される。すなわち、多数の要素又は要素のリストのうちの少なくとも１つを含むが、２つ以上の要素も含み、また、任意選択的に、リストにないアイテムを含むと解釈される。「〜のうちの１つのみ」又は「ちょうど１つの」といった反対を明らかに示す用語、又は、特許請求の範囲に用いられる場合は、「〜からなる」という用語だけが、多数の要素又は要素のリストのうちのまさに１つの要素が含まれることを指す。一般的に、本明細書において使用される「又は」との用語は、「いずれか」、「〜のうちの１つの」、「〜のうちの１つのみ」、又は「〜のうちのちょうど１つのみ」といった排他的な用語が先行する場合にのみ、排他的な代替（すなわち「一方又は他方であるが、両方ではない」）を示すと解釈される。
【００９３】
[00101]  本明細書及び特許請求の範囲に用いられるように、１つ以上の要素を含むリストを参照した際の「少なくとも１つ」との表現は、要素のリストにおける任意の１つ以上の要素から選択された少なくとも１つの要素を意味すると理解すべきであるが、要素のリストに具体的に列挙された各要素の少なくとも１つを必ずしも含むわけではなく、要素のリストにおける要素の任意の組み合わせを排除するものではない。この定義は、「少なくとも１つの」との表現が指す要素のリストの中で具体的に特定された要素以外の要素が、それが具体的に特定された要素に関係していても関連していなくても、任意選択的に存在してもよいことを可能にする。
【００９４】
[00102]  なお、特に明記されない限り、本明細書に記載された２つ以上のステップ又は動作を含むどの方法においても、当該方法のステップ又は動作の順番は、記載された方法のステップ又は動作の順序に必ずしも限定されないことを理解すべきである。
【００９５】
[00103]  また、請求項において、括弧内に登場する任意の参照符号は、便宜上、提供されているに過ぎず、当該請求項をいかようにも限定することを意図していない。
【００９６】
[00104]  特許請求の範囲においても上記明細書においても、「備える」、「含む」、「担持する」、「有する」、「含有する」、「関与する」、「保持する」、「〜から構成される」等といったあらゆる移行句は、非制限的、すなわち、含むがそれに限定されないことを意味すると理解すべきである。米国特許庁特許審査手続便覧の第２１１１．０３項に記載される通り、「〜からなる」及び「本質的に〜からなる」といった移行句のみが、制限又は半制限移行句である。
【図１】
0006038147.tif 000002
【図２】
0006038147.tif 000003
【図３】
0006038147.tif 000004
【図４Ａ】
0006038147.tif 000005
【図４Ｂ】
0006038147.tif 000006
【図５】
0006038147.tif 000007
【図６】
0006038147.tif 000008
【図７Ａ】
0006038147.tif 000009
【図７Ｂ】
0006038147.tif 000010